(57)【要約】【課題】任意位置でのスムーズな配線立ち上げ等を確実に行うことが可能な配線用床材を提供する。【解決手段】配線用溝を隔てて、配列され、平坦面からなる天面を有する複数の単位体と、前記配線用溝２に蓋体として装着され、前記天面と同一面を形成するカバー部材９とを有し、前記カバー部材９が、十字状のクロスカバー部１０と、前記クロスカバー部の端面に、１辺が当接して設けられた４つのストレートカバー部１１とを具備し、前記ストレートカバー部のカバー片１１ａが、その幅方向全体にわたって、前記配線用溝に連通する間隙を形成し得るように構成される。【選択図】図１
2011026866.tif 000002
【特許請求の範囲】
【請求項１】
配線用溝を隔てて、配列され、平坦面からなる天面を有する複数の単位体と、
前記配線用溝に蓋体として装着され、前記天面と同一面を形成するカバー部材とを有し、
前記カバー部材が、
十字状のクロスカバー部と、
前記クロスカバー部の端面に、１辺が当接して設けられた４つのストレートカバー部とを具備し、
前記ストレートカバー部が、その幅方向全体にわたって、前記配線用溝に連通する間隙を形成し得るように構成された配線用床材。
【請求項２】
請求項１に記載の配線用床材であって、
前記ストレートカバー部の少なくとも一つが複数に分割されたカバー片で構成され、前記カバー片が着脱自在に構成されており、
前記間隙は、前記カバー片の少なくとも一つを脱着することによって形成される配線用床材。
【請求項３】
請求項２に記載の配線用床材であって、
前記ストレートカバー部の少なくとも一つが、異なる幅に分割され、大きさの異なるカバー片で構成されており、
前記カバー片は、前記配線用溝に沿って平行移動可能であり、前記間隙の位置を調整可能である配線用床材。
【請求項４】
請求項１乃至３のいずれかに記載の配線用床材であって、
前記ストレートカバー部の少なくとも一つが折り曲げ可能に構成され、
前記間隙は、前記ストレートカバー部の少なくとも一つを折り曲げることで形成される配線用床材。
【請求項５】
請求項４に記載の配線用床材であって、
前記ストレートカバー部の少なくとも一つが、前記配線溝の幅方向に、折り曲げを容易にするための折り曲げ容易部を有する配線用床材。
【請求項６】
請求項５に記載の配線用床材であって、
前記折り曲げ容易部は、前記ストレートカバー部の厚さ方向に貫通する貫通穴の列である配線用床材。
【請求項７】
請求項５または６に記載の配線用床材であって、
前記折り曲げ容易部は、折り曲げ線に沿って形成された凹部である配線用床材。
【請求項８】
請求項１乃至７のいずれかに記載の配線用床材であって、
前記ストレートカバー部は、可撓性部材で構成された配線用床材。
【請求項９】
請求項１乃至８のいずれかに記載の配線用床材であって、
天板表面から脚部を垂下させた天板付き単位体と、
両側が脚部となった上方に開口した配線用溝が設けられ、前記配線用溝の開口にカバー部材が着脱自在に装着された溝付き単位体とを備え、天板付き単位体と溝付き単位体の上部を薄肉部で互いに連接すると共に、溝付き単位体の脚部の下部に脚部同士を互いに連結する底板部を有し、溝付き単位体の脚部の上部に上記蓋を受ける受け部を設け、受け部に対して蓋を係合させる嵌合部を具備した配線用床材。
【発明の詳細な説明】
【技術分野】
【０００１】
本発明は、配線用床材に係り、特にオフィスなどで二重床内部に敷設された配線や配管などの配線類を必要とされる位置に応じて立ち上げ或いは引き出すことができる配線用床材に関する。
【背景技術】
【０００２】
近年、オフィス等においてＯＡ機器の使用増大に伴い、それらの配線処理や管理・マネジメントの必要性が高まり、二重床パネルなど床置きタイプのフロアパネルの利用が拡大している。この床置きタイプのフロアパネルを用いることにより、レイアウトに応じてユーザーの必要とする使い勝手のよい床位置にある二重床面から配線類を取り出し、種々の配線器具類等を自在に設けることができるようになっている。また、特に配線類をＯＡ機器の近くや、机・壁・柱回り等に立ち上げる、例えばＯＡタップ等に接続するために配線を二重床内部から立ち上げる必要性がある場合が多い。
【０００３】
例えば、複数の支持体により内部に配線類空間が形成される二重床用構造体であって、該二重床用構造体の上面に配線類引出用領域が所定間隔毎に設けられ、該配線類引出用領域の少なくとも一部が打抜或いは切除で開口可能なものが提案されている（特許文献１）。
この二重床用構造体では、例えば、図１５および図１６に要部拡大図を示すように、天板付き単位体１０３が配線用溝を隔てて配列され、この配線用溝をクロスカバー部１１０と、ストレートカバー部１１１とでカバーして構成されている。ここで、ケーブル用の引き出し穴１０１は直径１２ｍｍのものが最多４か所／パネルであり、ひとつの引き出し穴１０１から１本のケーブルのみを取り出せる構造である。一方、学校のパソコン教室などでは一度に複数のケーブルを引き出したいという要望も出てきており、現場では、トレンチカバーを切断加工してケーブル引き出し用開口部を設けるなど、現場対応をしている状態であった。
【０００４】
以上のように、この種の技術においては上記の各構造による対応で、施工の困難性、部品点数の増加、配線立上の取り扱いが面倒である等の問題は残るものの、床パネル、配線器具において配線の立ち上げ、引き出しを可能にしている。
【先行技術文献】
【特許文献】
【０００５】
【特許文献１】特開２００１−９０３２５号公報
【発明の概要】
【発明が解決しようとする課題】
【０００６】
しかしながら、上記従来技術では以下のような問題がある。
まず、パネル１枚当たりのケーブル引き出し量が充分でない。このため、パネル１枚当たりのケーブル引き出し量を多くすることのできるフロアパネルへの要求が高まっている。
比較的大きな床パネル本体やキャビネット、配線器具本体に予め定めた位置にだけ配線取出用開口部が設けられているため、配線立上位置に自由度がなく、その設置時に配線立上位置が一義的に決められてしまい、例えばレイアウト変更を行いたい場合、あるいは使い勝手上など、任意の使用において最適な位置で正確に配線を立ち上げることは不可能である。
【０００７】
また、床パネルに開口を設置する場合には、床パネル本体の厚さ部分に開口部が形成されることになるため、床パネルの強度維持を考慮する必要があり、材料・材質に応じて強度をもたせるように設計しなければならない。そのため、床パネルの設計を難しくし、構造の複雑化を招いていた。さらに、例えば床パネル本体に任意の位置で配線が立ち上げられるように、複数の配線立上用開口部を設けることも同様の理由で困難であった。
このように、用途によって引き出し箇所の多様化も望まれている。
【０００８】
以上のように、一般に配線の立ち上げや取り出しは、例えばパネル材やボーダー材設置後の壁際・柱回り等においても、配線器具を設置する際にＯＡ機器等のレイアウト状況によって必要となる場合があり、特に近年のＯＡ機器利用の増大に伴い、一人一台パソコンを保有するオフィス環境の実情において、任意且つ最適な位置での良好な配線立上・引出に対するニーズが二重床業界等で非常に高まってきている。
【０００９】
本発明は、前記実情に鑑みてなされたものであって、パネル材やボーダー材として使用する二重床を構成するものであって、二重床内部に敷設された配線の立ち上げ或いは引き出しを極めて簡単な構成で容易且つ良好に行うことができ、パネル材１枚当たりのケーブル引き出し量を多くすることができるとともに、任意位置でのスムーズな配線立ち上げ等を確実に行うことが可能な配線用床材を提供することを目的とする。
【課題を解決するための手段】
【００１０】
本発明の配線用床材は、配線用溝を隔てて、配列され、平坦面からなる天面を有する複数の単位体と、前記配線用溝に蓋体として装着され、前記天面と同一面を形成するカバー部材とを有し、前記カバー部材が、十字状のクロスカバー部と、前記クロスカバー部の端面に、１辺が当接して設けられた４つのストレートカバー部とを具備し、前記ストレートカバー部が、その幅方向全体にわたって、前記配線用溝に連通する間隙を形成し得るように構成されたことを特徴とする。
この構成によれば、ストレートカバー部が、その幅方向全体にわたって、前記配線用溝に連通する間隙を形成し得るように構成されているため、配線用溝の幅方向全体にわたる間隙を有することで、単位面積当たりの配線類（ケーブル）引き出し量を多くすることができる。通常、４つの単位体毎に１つのクロスカバー部と４つのストレートカバー部とで構成される。そしてストレートカバー部の幅方向全体にわたって、配線用ケーブル引き出し用の間隙を形成し得るように構成されているため、この単位を１パネルとすると、パネル毎のケーブル引き出し量を多くすることができる。
【００１１】
また、本発明は、上記配線用床材において、前記ストレートカバー部の少なくとも一つが複数に分割されたカバー片で構成され、前記カバー片が着脱自在に構成されており、前記間隙は、前記カバー片の少なくとも一つを脱着することによって形成されるものを含む。
この構成によれば、カバー片の少なくとも一つを取り外すだけで、配線溝の幅方向全体にわたる間隙を形成することができ、この間隙から大量の配線を引き出すことができる。
【００１２】
また、本発明は、上記配線用床材において、前記ストレートカバー部の少なくとも一つが、異なる幅に分割され、大きさの異なるカバー片で構成されており、前記カバー片は、前記配線用溝に沿って平行移動可能であり、前記間隙の位置を調整可能であるものを含む。
この構成によれば、カバー片の少なくとも平行移動することで、配線引き出しのための位置を容易に調整することができる。
【００１３】
また、本発明は、上記配線用床材において、前記ストレートカバー部の少なくとも一つが折り曲げ可能に構成され、前記間隙は、前記ストレートカバー部の少なくとも一つを折り曲げることで形成されるものを含む。
この構成によれば、ストレートカバー部を折り曲げることで容易に配線引き出しのための間隙を形成することができる。
【００１４】
また、本発明は、上記配線用床材において、前記ストレートカバー部の少なくとも一つが、前記配線溝の幅方向に、折り曲げを容易にするための折り曲げ容易部を有するものを含む。
この構成によれば、折り曲げが容易となり、作業性が向上する。
【００１５】
また、本発明は、上記配線用床材において、前記折り曲げ容易部は、前記ストレートカバー部の厚さ方向に貫通する貫通穴の列であるものを含む。
この構成によれば、極めて簡単な構成で折り曲げが容易となり、作業性が向上する。
【００１６】
また、本発明は、上記配線用床材において、前記折り曲げ容易部は、折り曲げ線に沿って形成された凹部であるものを含む。
この構成によれば、強度の低下を抑制しつつ、折り曲げが容易となり、作業性が向上する。
【００１７】
また、本発明は、上記配線用床材において、前記ストレートカバー部は、可撓性部材で構成されたものを含む。
この構成によれば、折り曲げが容易となり、作業性が向上する。
【００１８】
また、本発明は、上記配線用床材において、天板表面から脚部を垂下させた天板付き単位体と、両側が脚部となった上方に開口した配線用溝が設けられ、前記配線用溝の開口にカバー部材が着脱自在に装着された溝付き単位体とを備え、天板付き単位体と溝付き単位体の上部を薄肉部で互いに連接すると共に、溝付き単位体の脚部の下部に脚部同士を互いに連結する底板部を有し、溝付き単位体の脚部の上部に上記蓋を受ける受け部を設け、受け部に対して蓋を係合させる嵌合部を具備したものを含む。
この構成によれば、各部の係合を確実にし、容易に配線取り出しの自由度の高い配線用床材を提供することが可能となる。
【発明の効果】
【００１９】
以上説明してきたように、本発明によれば、ストレートカバー部が、その幅方向全体にわたって、前記配線用溝に連通する間隙を形成し得るように構成されているため、配線用溝の幅方向全体にわたる間隙を有することで、単位面積当たりの配線類引き出し量を多くすることができる。
【図面の簡単な説明】
【００２０】
【図１】本実施の形態１の配線用床材を示す１単位の斜視図
【図２】本実施の形態１の配線用床材を用いて３本の配線ケーブル２０を取り出した状態を示す図
【図３】本実施の形態１のカバー部材の斜視図
【図４】本実施の形態１の配線用床材の上面図
【図５】本実施の形態１のカバー部材を外した状態を示す斜視図
【図６】本実施の形態１のカバー部材を外した状態の全体配線図を示す図
【図７】本実施の形態１の配線用床材の変形例１の上面図、（ａ）は配線ケーブル２０を引き出さない状態、（ｂ）乃至（ｄ）は配線ケーブル２０を引き出すための間隙Ｃを形成した状態を示す図
【図８】本実施の形態１の配線用床材の変形例２の上面図、（ａ）は配線ケーブル２０を引き出さない状態、図８（ｂ）は配線ケーブル２０を引き出すための間隙Ｃを形成した状態を示す図
【図９】本実施の形態２の配線用床材の上面図
【図１０】本実施の形態２の配線用床材におけるストレートカバー部の拡大斜視図
【図１１】本実施の形態２の配線用床材におけるストレートカバー部の拡大断面図
【図１２】図１１の拡大断面図
【図１３】本実施の形態２のカバー部材に配線ケーブル取り出し用の間隙を形成した状態を示す上面図
【図１４】同要部拡大断面図
【図１５】従来例の配線用床材を示す図
【図１６】従来例の配線用床材を示す図
【発明を実施するための形態】
【００２１】
以下、本発明の実施の形態について図面を参照しつつ詳細に説明する。図１は本実施の形態の配線用床材を示す１単位の斜視図、図２は、同配線用床材を用いて３本の配線ケーブル２０を取り出した状態を示す図、図３はカバー部材の斜視図、図４は配線用床材の上面図、図５は、カバー部材を外した状態を示す斜視図、図６は、カバー片１１ａを外した状態の全体配線図を示す図である。
この配線用床材は、配線用溝２を隔てて、配列され、平坦面からなる天板５を有する複数の単位体３と、前記配線用溝２に蓋体として装着され、前記天面と同一面を形成するカバー部材９とを有し、このカバー部材９が、十字状のクロスカバー部１０と、前記クロスカバー部の端面に、１辺が当接して設けられた４つのストレートカバー部１１とを具備し、前記ストレートカバー部１１が、その幅方向全体にわたって、前記配線用溝２に連通する間隙１２を形成し得るように構成される。
【００２２】
本実施の形態の配線用床材１は、図１に示すように、フリーアクセスフロア置き敷きタイプの溝型フロアパネルを構成するものであり、部屋のフロア全体或いは一部に縦横に延びるように配線用溝２が形成され、全体が同じ表面高さとなった方形の配線用フロアパネルを構成する。全体図を、図６に示すように、分電室６０から導出された配線用のケーブルを、配線用溝２を通して室内に張り巡らし、カバー部材の４つのストレートカバー部１１の少なくとも一つに設けられたカバー片１１ａを脱着することで、間隙Ｃを形成し、ここから配線ケーブル２０を導出する。
【００２３】
この配線用床材１は、１乃至５に示す床ユニット４を複数配設して構成される。各床ユニット４は、縦横各３列、計９ブロックに分割され、４隅のブロックに４枚の天板付き単位体３が配設されている。この天板付き単位体３は、天板５下面の４隅から夫々脚部６を垂下して構成されている。そして配線用溝２の開口にはカバー部材９が着脱自在に装着され、下部に底板部が設けられている。そして、複数の小単位体を縦横格子状に配置することで配線用溝２を一定ピッチで縦横格子状に形成できるようになっている。
【００２４】
配線用溝２のカバー部材９は、その上方から配線用溝２の内部を透視できるように透明或いは半透明の樹脂材料などで構成される。そこでカバー部材９を透明、或いは半透明材料で形成してどこに接続機器があるか一目でわかるようになっている。フリーアクセスフロアでは、配線替えが容易であることが重要課題の１つであるが、この構成によれば、配線用溝２にカバー部材９を配置したままでも配線用溝２内の配線状態がわかるため、配線替えの際にはどこにどの接続機器があるのか理解することができ、当該部分のカバー部材を配線周辺の配線用溝２のカバー部材９を取外すことなく配線替えを行うことができる。
【００２５】
このカバー部材９は、図３および４に示すように、縦横の交差部２ａに装着されるクロスカバー部１０と、交差部２ａ以外の溝部２ｂに装着されるストレートカバー部１１とで構成されている。そして、ストレートカバー部１１のうち一枚は長さ１対２となるように２分割され、２つのカバー片１１ａ、１１ｂで構成され、脱着可能となっている、また、ストレートカバー部１１のうち残る３枚は同一サイズとなっている。またクロスカバー部１０の一辺のサイズはストレートカバー部１１の短手方向の一辺すなわちストレートカバー部の幅と同一となっている。
【００２６】
また、天板付き単位体３の天板５は、図６に示すように、ストレートカバー部１１の縦寸法と同一寸法の正方形状に形成される。本実施の形態では、ストレートカバー部の幅Ｌ０は１６５ｍｍ程度、１単位の幅Ｌは５００ｍｍ程度に設定されており、これら床ユニット４を複数並べて溝付き単位体の配線用溝２が縦横に交差するようにして本発明の実施の形態１の配線用床材１が形成される。
なお、各床ユニットへの天板付き単位体３の天板５あるいはカバー部の固定については図示しない小突起と凹部との係合により、行うようにしてもよい。
【００２７】
この構成によれば、ストレートカバー部が、その幅方向全体にわたって、前記配線用溝に連通する間隙Ｃを形成し得るように構成されているため、単位面積当たりの配線類（ケーブル）引き出し量を複数本にすることができる。
【００２８】
また、カバー片の少なくとも平行移動することで、配線引き出しのための位置を容易に調整することができる。
【００２９】
前記実施の形態１では、ストレートカバー部を２分割した例について説明したが、図７（ａ）および（ｂ）に変形例１を示すように、３分割としカバー片１１ａ，１１ｂ、１１ｃで構成し、そのいずれかを外すことで、間隙Ｃを形成するようにしてもよい。
図７（ａ）は配線ケーブル２０を引き出さない状態、図７（ｂ）乃至（ｄ）は配線ケーブル２０を引き出すための間隙Ｃを形成した状態を示す。図７（ｃ）はカバー片１１ａ，１１ｂの２つを外し２倍の大きさの間隙Ｃを形成したものである。
かかる構成によれば、カバー片を動かすことで配線ケーブル取り出し位置を調整することができ種々の対応が可能である。
【００３０】
また、前記実施の形態１では、ストレートカバー部を１対２の幅で２分割した例について説明したが、図８（ａ）および（ｂ）に変形例２を示すように、等分して２分割としてもよい。この場合もカバー片１１ａ，１１ｂのいずれかを外すことで、間隙Ｃを形成する。
図８（ａ）は配線ケーブル２０を引き出さない状態、図８（ｂ）は配線ケーブル２０を引き出すための間隙Ｃを形成した状態を示す。
かかる構成によれば、カバー片を動かすことで配線ケーブル取り出し位置を調整することができ種々の対応が可能である。
【００３１】
（実施の形態２）
次に本発明の実施の形態２について説明する。
図９に本実施の形態２の配線用床材の上面図、図１０にストレートカバー部１１Ｓの斜視図、図１１に図１０のＡ−Ａ断面図、図１２に要部拡大断面図を示す。図１３および１４は配線ケーブル２０を引き出すための間隙を形成した状態を示す上面図および要部拡大断面図である。
前記実施の形態１では、ストレートカバー部を複数のカバー片に分割した例について説明したが、本実施の形態では、４つのストレートカバー部１１のうちの一つであるストレートカバー部１１Ｓが折り曲げ可能に構成され、前記ストレートカバー部の少なくとも一つを折り曲げることで配線引き出しのための間隙Ｃを形成できるようにしたものである。
このストレートカバー部１１Ｓは、可撓性樹脂で構成されている。
【００３２】
そして配線用溝２の幅方向に沿って、折り曲げを容易にするための折り曲げ容易部１２としてストレートカバー部の厚さ方向に貫通する貫通穴列を有している。
さらに、図１１および１２に示すように、ストレートカバー部１１の少なくとも一つ１１Ｓを折り曲げることで配線引き出しのための間隙Ｃを形成できる。また折り曲げ線に沿って凹部１３を形成し、さらに、折り曲げを容易にしている。
【００３３】
この構成によれば、極めて簡単な構成で折り曲げが容易となり、図１３および１４に示すように、配線ケーブル２０を引き出すために十分な間隙Ｃを形成することができ、設置作業性が向上する。
また、折り曲げ線に沿って凹部１３を形成しているため、強度の低下を抑制しつつ、折り曲げが容易となり、作業性が向上する。
【００３４】
なお前記実施の形態では、前記ストレートカバー部のうち１つのみを、可撓性樹脂で構成したが、すべてを可撓性樹脂で構成してもよい。これにより、若干の位置ずれの吸収も可能であり、ストレートカバー部を入れ替えたりすることなく、所望の位置のストレートカバー部を折り曲げることで容易に配線ケーブル引き出し用の間隙を形成することが可能となる。
【符号の説明】
【００３５】
１  配線用床材
２  配線用溝
３  天板付き単位体
４  床ユニット
５  天板
６  脚部
９  カバー部材
１０  クロスカバー部
１１、１１Ｓ  ストレートカバー部
１１ａ、１１ｂ、１１ｃ  カバー片
２０  配線ケーブル
６０  分電室
１０１  引き出し穴
１０３  天板付き単位体
１１０  クロスカバー部
１１１  ストレートカバー部
【図１】
2011026866.tif 000003
【図２】
2011026866.tif 000004
【図３】
2011026866.tif 000005
【図４】
2011026866.tif 000006
【図５】
2011026866.tif 000007
【図６】
2011026866.tif 000008
【図７】
2011026866.tif 000009
【図８】
2011026866.tif 000010
【図９】
2011026866.tif 000011
【図１０】
2011026866.tif 000012
【図１１】
2011026866.tif 000013
【図１２】
2011026866.tif 000014
【図１３】
2011026866.tif 000015
【図１４】
2011026866.tif 000016
【図１５】
2011026866.tif 000017
【図１６】
2011026866.tif 000018